(57)【要約】      （修正有）【課題】ケースの変形に伴う電子回路基板への負荷を低減した電子制御装置を提供する。【解決手段】電子回路基板と、当該電子回路基板を収容すると共に固定金具によって所定の固定領域に固定される樹脂製ケースを備える電子制御装置であって、当該ケースには、固定金具によって固定される領域の近傍において電子回路基板を押さえるこじり対策用突起６を形成し、ケースの強度が向上するとともに、外部配線が移動した場合であっても電子回路基板が移動することを防止し、こじりを防止する。【選択図】図２
2012064874.tif 000002
【特許請求の範囲】
【請求項１】
電子回路基板と、当該電子回路基板を収容すると共に固定金具によって所定の固定領域に固定される樹脂製ケースとを備える電子制御装置であって、
前記ケースは、前記固定金具によって固定される領域の近傍において前記電子回路基板を押さえるこじり対策用突起を有することを特徴とする電子制御装置。
【発明の詳細な説明】
【技術分野】
【０００１】
本発明は、電子制御装置に関するものである。
【背景技術】
【０００２】
例えば、車両等に設置されるＥＣＵ（Electronic Control Unit）等の電子制御装置は、電子回路基板と、当該電子回路基板を収容する樹脂製のケースとを有しており、固定金具によってケースが車両に対して固定されて車両等に搭載されている。
【先行技術文献】
【特許文献】
【０００３】
【特許文献１】特開平９−２０７６８３号公報
【特許文献２】特開２００４−１７９２８０号公報
【発明の概要】
【発明が解決しようとする課題】
【０００４】
ところで、電子回路基板には、例えば、コネクタを介して外部配線が接続されている。このため、外部配線の移動によって電子回路基板が移動し、さらにはケースが移動することになる。
ところが、このような外力によってケースが移動する場合であっても、ケースを固定する固定金具は、強度が高い上に車体等の固定領域に強固に固定されているため移動しない。この結果、ケースが固定金具に対してこじれるように相対変位することになり、ケース全体が大きく変形することになる。
このようにケースが変形すると、電子回路基板に対して大きな応力が作用することになる。
【０００５】
本発明は、上述する問題点に鑑みてなされたもので、電子制御装置において、ケースの変形に伴う電子回路基板への負荷を低減することを目的とする。
【課題を解決するための手段】
【０００６】
本発明は、上記課題を解決するための手段として、電子回路基板と、当該電子回路基板を収容すると共に固定金具によって所定の固定領域に固定される樹脂製ケースとを備える電子制御装置であって、上記ケースが、上記固定金具によって固定される領域の近傍において上記電子回路基板を押さえるこじり対策用突起を有するという構成を採用する。
【発明の効果】
【０００７】
このような構成を採用する本発明によれば、ケースに設けられたこじり対策用突起が固定金具によって固定される領域の近傍に配置されているため、ケースの強度が向上してこじりによるケースの変形を抑制することができる。また、ケースに設けられたこじり対策用突起が電子回路基板を強固に押さえるため、外部配線が移動した場合であっても電子回路基板が移動することを防止し、さらにはケースが移動することを防止し、これによってこじりが発生することを抑制することができる。
したがって、本発明によれば、ケースの変形に伴う電子回路基板への負荷を低減させることができる。
【図面の簡単な説明】
【０００８】
【図１】本発明の一実施形態における電子制御装置の分解斜視図である。
【図２】本発明の一実施形態における電子制御装置が備える上側ケースを裏返して見た斜視図である。
【図３】組立てられた状態での図１におけるＡ−Ａ線断面図である。
【発明を実施するための形態】
【０００９】
以下、図面を参照して、本発明に係る電子制御装置の一実施形態について説明する。なお、以下の図面において、各部材を認識可能な大きさとするために、各部材の縮尺を適宜変更している。
【００１０】
図１は、本実施形態の電子制御装置１の分解斜視図である。本実施形態の電子制御装置１は、例えば車両に搭載されるＥＣＵであり、固定金具１０によって車両等の所定の固定領域に固定されるものである。この電子制御装置１は、図１に示すように、電子回路基板２と、ケース３とを備えている。
【００１１】
電子回路基板２は、コネクタ２ａや半導体素子等の不図示の電子素子が複数実装されたプリント基板であり、矩形状に形状設定されている。この電子回路基板２は、４つの隅部の各々に対して嵌合穴２ｂが設けられている。
【００１２】
ケース３は、電子回路基板２を収容して保護するためのものであり、下側ケース３ａ（第１パーツ）と、上側ケース３ｂ（第２パーツ）との２つの分割パーツを有し、上側ケース３ｂが下側ケース３ａに対して嵌合されることによって構成されている。
そして、下側ケース３ａに対しては、電子回路基板２の嵌合穴２ｂに対して嵌合する嵌合ピン３ｃが嵌合穴２ｂと同数設けられている。
【００１３】
また、ケース３に対しては、固定金具１０を取り付けるための機構として、ガイド部４と、係止爪部５とが設けられている。なお、本実施形態の電子制御装置１は、２つの固定金具１０が取り付けられる。具体的には、ケース３の対向する側面の各々に対して固定金具１０が取り付けられる。そして、ケース３には、各固定金具１０に対して、一対のガイド部４，４と１つの係止爪部５とが設けられている。なお、各固定金具１０に対して設けられる一対のガイド部４，４と１つの係止爪部５とは同一の構造を有しているため、以下の説明では、その１つについて説明する。
【００１４】
ガイド部４，４は、固定金具１０をケース３に対してスライドして取り付ける際に当該固定金具１０を案内すると共に、ケース３に対して固定される固定金具１０を支持するものであり、ケース３の側面においてケース３と一体的に設けられている。
【００１５】
ガイド部４，４は、平行して設けられており、各々が下側ケース３ａと上側ケース３ｂとの嵌合方向に延在して設けられている。なお、各ガイド部４は、下側ケース３ａと上側ケース３ｂとの両方に亘って設けられており、図１に示すように、下側ケース３ａと上側ケース３ｂとが取り外された場合には、２つに分割される。
【００１６】
係止爪部５は、ガイド部４，４同士に挟まれた中央部にケース３と一体的に設けられており、ケース３の外側と内側とを結ぶ方向に湾曲するように板状部材から成り、ケース３の外側方向に突出する突起５ａを有している。なお、図１に示すように、係止爪部５は、下側ケース３ａに対して設けられている。
【００１７】
突起５ａは、固定金具１０がケース３に対して正しい位置に配置された場合に固定金具１０が有する係止穴１１に係止されるものである。なお、当該突起５ａは、上方からスライドしてケース３に対して取り付けられる固定金具１０との干渉を避けるために、上方から下方に向けて徐々に突出量を増やすように形状設定されている。
【００１８】
固定金具１０は、図１に示すように、ケース３と上述の固定領域とを連結するためのものであり、湾曲された板形状を有している。
この固定金具１０は、ガイド部４，４によって案内及び支持されるスライド部１０ａと、固定金具１０がスライドされる際に作業者によって把持されると共に上述の固定領域に固定される把持部１０ｂと、固定金具１０がスライドされる際に係止爪部５の突起５ａが通過する溝部１０ｃと、固定金具１０の強度を向上する補強リブ１０ｄとを有している。
【００１９】
スライド部１０ａは、２つのガイド部４，４同士の離間距離よりも狭くかつ２つのガイド部４，４に両端が係止可能な幅とされ、その略中央部に係止穴１１が設けられている。なお、スライド部１０ａは、頂部１０ａ１が２つのガイド部４，４同士の離間距離よりも幅広に形成され、上方からガイド部４，４間に挿入し、頂部１０ａ１がガイド部４，４の上面に当接することによって位置決めされる。そして、このようにスライド部１０ａが位置決めされた際には、係止穴１１に係止爪部５の突起５ａが入り込む。
【００２０】
把持部１０ｂは、湾曲領域を介してスライド部１０ａと接続されており、スライド部１０ａがガイド部４，４間に挿入される際に、ケース３の外側に向かって突出することとなる。なお、把持部１０ｂは、不図示のボルトやナット等からなる締結部材によって上述の固定領域に対して締結されて固定されている。
【００２１】
溝部１０ｃは、スライド部１０ａのケース３に対向配置される側の表面を凹ませることによって形成されている。
また、補強リブ１０ｄは、上記溝部１０ｃと反対側の表面を膨らませることによって形成されている。
そして、溝部１０ｃと補強リブ１０ｄとは表裏一体に形成されており、固定金具１０の一部をプレス加工等によって変形させることによって、一度に形成可能とされている。
【００２２】
図２は、上側ケース３ｂを裏返してケース３の内部側から見た斜視図である。この図に示すように、本実施形態の電子制御装置１においては、上側ケース３ｂ（すなわちケース３）は、こじり対策用突起６と、押さえ突起７とを備えている。
【００２３】
こじり対策用突起６は、固定金具１０によって固定される領域の近傍に設置されている。なお、本実施形態の電子制御装置１においては、ケース３に対して固定金具１０が２つ固定されるため、図２に示すように、こじり対策用突起６は２つ設けられている。
各こじり対策用突起６は、上側ケース３ｂの天井部と一体的に接続されており、下方に向けて（図２においては上方に向けて）延設されており、図３（電子制御装置１が組み立てられた状態での図１におけるＡ−Ａ線断面図）に示すように、下側ケース３ａと上側ケース３ｂとが嵌合された際に、電子回路基板２の縁部に上方から当接する。
【００２４】
これらのこじり対策用突起６は、電子回路基板２を押さえることによって、外力により生じるケース３の固定金具１０に対する相対移動（すなわちこじり）を抑止する。また、これらのこじり対策用突起６は、上記こじりが発生した際に最も変形し易い固定金具１０の固定領域近傍の強度を向上させ、これによってケース３と固定金具１０とが相対移動した場合（すなわちこじれた場合）のケース３の変形を抑止する。
そして、こじり対策用突起６は、電子回路基板２の周方向に沿う幅が押さえ突起７よりも大きく形成されている。
【００２５】
押さえ突起７は、こじり対策用突起６よりも固定金具１０の固定される領域から離れて設置されており、電子回路基板２の各長辺に沿って４つずつ、合計８つ設けられている。
各押さえ突起７は、上側ケース３ｂの天井部と一体的に接続されており、下方に向けて（図２においては上方に向けて）延設されており、図３に示すように、下側ケース３ａと上側ケース３ｂとが嵌合された際に、電子回路基板２の縁部に上方から当接する。
これらの押さえ突起７は、電子回路基板２を押さえることによって、外力により生じるケース３の固定金具１０に対する相対移動（すなわちこじり）を抑止する。
【００２６】
また、図２に示すように、上側ケース３の内壁には、格子状に配設された複数の補強リブ８が設けられている。この補強リブ８によって、上側ケース３の強度の向上が図られている。
【００２７】
このような構成を有する本実施形態の電子制御装置１は、下側ケース３ａと上側ケース３ｂとが嵌合されてケース３が構成され、当該ケース３の内部に電子回路基板２が収容され、当該電子回路基板２のコネクタ２ａが不図示の外部配線と接続される。
また、本実施形態の電子制御装置１は、固定金具１０によって、車両等の所定の固定領域に固定される。
【００２８】
ここで、本実施形態の電子制御装置１においては、ケース３が、固定金具１０によって固定される領域の近傍において電子回路基板２を押さえるこじり対策用突起６を有する。
このような本実施形態の電子制御装置１によれば、ケース３に設けられたこじり対策用突起６が固定金具１０によって固定される領域の近傍に配置されているため、ケースの強度が向上してこじりによるケース３の変形を抑制することができる。また、ケース３に設けられたこじり対策用突起６が電子回路基板２を強固に押さえるため、外部配線が移動した場合であっても電子回路基板２が移動することを防止し、さらにはケース３が移動することを防止し、これによってこじりが発生することを抑制することができる。
したがって、本実施形態の電子制御装置１によれば、ケース３の変形に伴う電子回路基板２への負荷を低減させることができる。
【００２９】
また、本実施形態の電子制御装置１は、上記こじり対策用突起６に加えて、当該こじり対策用突起６よりも小型の押さえ突起７を複数備えている。
このため、さらに電子回路基板２を強固に押さえることができ、外部配線が移動した場合であっても電子回路基板２が移動することをより確実に防止することができる。
また、押さえ突起７を用いて電子回路基板２をより強固に固定することによって、電子回路基板２の振動をより抑制することができる。
【００３０】
また、これらのこじり対策用突起６及び押さえ突起７を備えていることによって、ケース３に収容された電子回路基板２が押さえつけられるため、電子回路基板２の反り等の変形を補正することができる。また、組立て時等における電子回路基板２のがたつきを低減させることが可能となる。
【００３１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である
【００３２】
例えば、上記実施形態におけるこじり対策用突起６及び押さえ突起７の数は一例であり、変更可能である。
例えば、ケースがより多くの固定金具によって固定される場合には、固定金具の数だけこじり対策用突起６を設けることが好ましい。ただし、固定金具の数とこじり対策用突起６の数は必ずしも一致させる必要はない。
【００３３】
ただし、電子回路基板２をバランス良く支え、電子回路基板２のがたつきをより確実に防止するためには、こじり対策用突起６及び押さえ突起７は、上記実施形態の電子制御装置１のように、平面視において、左右対称に配置されていることが好ましい。
【符号の説明】
【００３４】
１……電子制御装置、２……電子回路基板、３……ケース、３ａ……下側ケース、３ｂ……上側ケース、４……ガイド部、５……係止爪部、６……こじり対策用突起、７……押さえ突起、８……補強リブ、１０……固定金具、１１……係止穴
【図１】
2012064874.tif 000003
【図２】
2012064874.tif 000004
【図３】
2012064874.tif 000005